(57)【要約】【課題】ユーザが、必要に応じて、モニタに表示されるEPGを選択するできるようにする。【解決手段】ユーザは、リモートコントローラを操作し、モニタの全画面に表示されている、EPGの表示形態を変更することができる。リモートコントローラの操作に対応して、例えば、図７のEPGの半分のチャンネル数である４チャンネル分に対応する情報のみがモニタに表示されたり、また、図７のEPGの1.5倍のチャンネル数である１２チャンネル分に対応する情報がモニタに表示される。【選択図】図７
2008283709.tif 000002
【特許請求の範囲】
【請求項１】
番組に関するEPG情報を保持する保持手段と、
前記保持手段に保持している前記EPG情報を所定の画面上に表示するように制御する表示制御手段と、
前記画面に表示される前記EPG情報の情報量の変更を指令する指令手段と
を備え、
前記表示制御手段は、前記指令手段による第１の指令に対応して、前記EPG情報を前記画面全体に表示する第１の表示と、前記第１の表示で表示される前記EPG情報より情報量の少ない前記EPG情報を番組の映像と共に表示する第２の表示とを切り替える
情報処理装置。
【請求項２】
前記表示制御手段は、前記指令手段による第２の指令に対応して、前記第１の表示と、前記第１の表示で表示される前記EPG情報の情報量と表示文字のサイズを変更して表示する第３の表示とを切り替える
請求項１に記載の情報処理装置。
【請求項３】
前記表示制御手段は、前記EPG情報をチャンネルと時間の表示形式で表示させるように制御する
請求項１に記載の情報処理装置。
【請求項４】
前記表示制御手段は、前記第２の表示で、前記番組の映像を前記画面の上半分または下半分に、前記第１の表示で表示される前記EPG情報より情報量の少ない前記EPG情報を前記画面の下半分または上半分に、それぞれ表示する
請求項１に記載の情報処理装置。
【請求項５】
番組に関するEPG情報を保持手段に保持し、
前記保持手段に保持している前記EPG情報を所定の画面上に表示するように制御し、
前記画面に表示される前記EPG情報の情報量の変更を指令する
ステップを含み、
前記EPG情報の表示制御において、第１の指令に対応して、前記EPG情報を前記画面全体に表示する第１の表示と、前記第１の表示で表示される前記EPG情報より情報量の少ない前記EPG情報を番組の映像と共に表示する第２の表示とを切り替える
情報処理方法。
【請求項６】
前記EPG情報の表示制御において、第２の指令に対応して、前記第１の表示と、前記第１の表示で表示される前記EPG情報の情報量と表示文字のサイズを変更して表示する第３の表示とを切り替える
請求項５に記載の情報処理方法。
【請求項７】
前記EPG情報の表示制御において、前記EPG情報をチャンネルと時間の表示形式で表示させるように制御する
請求項５に記載の情報処理方法。
【請求項８】
前記EPG情報の表示制御において、前記第２の表示で、前記番組の映像を前記画面の上半分または下半分に、前記第１の表示で表示される前記EPG情報より情報量の少ない前記EPG情報を前記画面の下半分または上半分に、それぞれ表示する
請求項５に記載の情報処理方法。
【発明の詳細な説明】
【技術分野】
【０００１】
本発明は、情報処理装置および方法に関し、特に、モニタに表示されるEPGの表示サイズおよび表示形式を、変更することができるようにして、視聴者が所望するEPGを取得できるようにした、情報処理装置および方法に関する。
【背景技術】
【０００２】
最近、わが国においても、デジタル衛星放送が開始され、１００チャンネル以上の多くのチャンネルで番組を提供することができるようになった。このように、チャンネルの数が多くなると、多くの番組の中から、所望の番組をユーザ（視聴者）が適切に選択するのが不便となる。そこで、EPG(Electronic Program Guide)データとして、放送される番組に関する情報が、本来の番組の情報とは別に送信されるようになされている。
【０００３】
EPGデータの中には、放送される時刻に対応した各チャンネルの番組タイトルなどが含まれており、例えば、そのEPGデータに基づいて、図１４に示すようなEPG、いわゆる番組表が、モニタ（図示せぬ）の全画面に表示される。ユーザは、モニタに表示されるEPGを参照して、所望の番組を見つけ出すことができる。図１４のEPGにおいては、第１０１チャンネル乃至第１０８チャンネル（８チャンネル分）において、時刻３時から時刻５時まで（２時間分）に放送される番組のタイトルが、表示されている。
【発明の開示】
【発明が解決しようとする課題】
【０００４】
ところで、モニタに表示されるEPGの情報量（図１４のEPGの場合は、８チャンネル分における２時間分の番組タイトルの情報）、いわゆる表示サイズは、予め定められている。つまり、同じ表示サイズが、大きな画面のモニタにも、小さい画面のモニタにも、一様に表示される。このため、小さい画面のモニタに表示される場合、EPGは、大きい画面のモニタに表示されるEPGより、縮小されて表示される。その結果、EPG上の文字が小さくなり、ユーザによっては、読み取り難くなる場合がある。
【０００５】
また、EPGは、図１４に示すようにモニタの全画面に表示されたり、図１５に示すように、放送されている番組の映像の下半分に表示されることがある。しかしながら、これらの表示形式は、EPGごとに予め定められており、ユーザがそれを選択することはできない。つまり、ユーザが番組の映像を視聴しながら、EPGを参照したい場合でも、EPGがその表示形式に対応していなければ、例えば、EPGがモニタの全画面に表示され、その結果、ユーザが、全画面に表示されているEPGを参照している間に、番組の映像を見逃してしまう。
【０００６】
本発明は、このような状況に鑑みてなされたものであり、ユーザの必要に応じて、EPGの表示サイズや表示形式を変更することができるようにしたものである。
【課題を解決するための手段】
【０００７】
本発明の一側面の情報処理装置は、番組に関するEPG情報を保持する保持手段と、前記保持手段に保持している前記EPG情報を所定の画面上に表示するように制御する表示制御手段と、前記画面に表示される前記EPG情報の情報量の変更を指令する指令手段とを備え、前記表示制御手段には、前記指令手段による第１の指令に対応して、前記EPG情報を前記画面全体に表示する第１の表示と、前記第１の表示で表示される前記EPG情報より情報量の少ない前記EPG情報を番組の映像と共に表示する第２の表示とを切り替えさせることができる。
【０００８】
前記表示制御手段には、前記指令手段による第２の指令に対応して、前記第１の表示と、前記第１の表示で表示される前記EPG情報の情報量と表示文字のサイズを変更して表示する第３の表示とを切り替えさせることができる。
【０００９】
前記表示制御手段には、前記EPG情報をチャンネルと時間の表示形式で表示させるように制御させることができる。
【００１０】
前記表示制御手段には、前記第２の表示で、前記番組の映像を前記画面の上半分または下半分に、前記第１の表示で表示される前記EPG情報より情報量の少ない前記EPG情報を前記画面の下半分または上半分に、それぞれ表示させることができる。
【００１１】
本発明の一側面の情報処理方法は、番組に関するEPG情報を保持手段に保持し、前記保持手段に保持している前記EPG情報を所定の画面上に表示するように制御し、前記画面に表示される前記EPG情報の情報量の変更を指令するステップを含み、前記EPG情報の表示制御において、第１の指令に対応して、前記EPG情報を前記画面全体に表示する第１の表示と、前記第１の表示で表示される前記EPG情報より情報量の少ない前記EPG情報を番組の映像と共に表示する第２の表示とを切り替えることができる。
【００１２】
前記EPG情報の表示制御において、第２の指令に対応して、前記第１の表示と、前記第１の表示で表示される前記EPG情報の情報量と表示文字のサイズを変更して表示する第３の表示とを切り替えることができる。
【００１３】
前記EPG情報の表示制御において、前記EPG情報をチャンネルと時間の表示形式で表示させるように制御することができる。
【００１４】
前記EPG情報の表示制御において、前記第２の表示で、前記番組の映像を前記画面の上半分または下半分に、前記第１の表示で表示される前記EPG情報より情報量の少ない前記EPG情報を前記画面の下半分または上半分に、それぞれ表示することができる。
【００１５】
本発明の一側面においては、番組に関するEPG情報が保持手段に保持され、前記保持手段に保持されている前記EPG情報が所定の画面上に表示されるように制御され、前記画面に表示される前記EPG情報の情報量の変更が指令される。前記EPG情報の表示制御において、第１の指令に対応して、前記EPG情報を前記画面全体に表示する第１の表示と、前記第１の表示で表示される前記EPG情報より情報量の少ない前記EPG情報を番組の映像と共に表示する第２の表示とが切り替えられる。
【発明の効果】
【００１６】
本発明によれば、ユーザは、要求に応じて、EPGの表示サイズや表示形式を選択し、それをモニタに表示させることができる。
【発明を実施するための最良の形態】
【００１７】
以下、図面を参照して本発明を適用した実施の形態について説明する。
【００１８】
図１は、本発明の情報処理装置を適用した送受信システムを構成する送信装置１の構成例を表している。この送信装置１は、番組生成部１１において、放送する番組のデータ（オーディオデータとビデオデータ）が生成される。メインシステムプロセッサ１２は、番組生成部１１から供給された番組データをエンコーダ１３に供給し、エンコードさせるとともに、システム情報プロセッサ１５、オペレーションシステムプロセッサ１６、EPGシステムプロセッサ１７、マルチプレクサ１４などに、基準クロック、時刻情報などを生成し、供給する。エンコーダ１３は、メインシステムプロセッサ１２を介して番組生成部１１より供給された番組データを、例えばMPEG方式などの方式に従ってエンコードし、マルチプレクサ１４に出力している。
【００１９】
システム情報プロセッサ１５は、システム情報を生成し、マルチプレクサ１４の多重化処理を制御するようになされている。オペレーションシステムプロセッサ１６は、図示せぬキーボード、マウスなどからの入力に対応する指令を処理し、必要に応じて、メインシステムプロセッサ１２に出力するようになされている。
【００２０】
EPGデータ供給部１８は、EPGデータを生成し、これを編集部１９に出力するようになされている。編集部１９は、個々の番組に特徴がある場合であって、その番組のEPGに特徴認識情報を付加して表示させたいような場合に、そのことを示す番組フラグを発生し、これをEPGデータに挿入する。EPGシステムプロセッサ１７は、メインシステムプロセッサ１２より供給される信号に同期して、編集部１９より供給されるEPGデータを処理し、マルチプレクサ１４に出力している。マルチプレクサ１４は、エンコーダ１３より供給されるオーディオデータとビデオデータよりなる番組データと、EPGシステムプロセッサ１７より供給されるEPGデータとを合成し、トランスポートストリームとして、図示せぬ衛星に出力するようになされている。
【００２１】
図２は、図１に示した送信装置１から衛星を介して送信されたデータを受信する受信装置３１の構成例を表している。この受信装置３１は、チューナ４１により、衛星を介して伝送されてきた電波を受信し、受信信号を復調部４２に出力するようになされている。復調部４２は、チューナ４１により供給された信号を復調し、復調信号をデマルチプレクサ４３に出力している。デマルチプレクサ４３は、復調部４２より入力されたデータから、番組データを構成するオーディオデータとビデオデータを抽出するとともに、EPGデータを抽出する。オーディオデータはオーディオデコーダ４６に、ビデオデータはビデオデコーダ４５に、そして、EPGデータはコントロールCPU４４に、それぞれ供給されるようになされている。
【００２２】
オーディオデコーダ４６は、入力されたオーディオデータをデコードし、この受信装置３１に接続されている、例えばVCR（Video Cassette Recorder）６３や、モニタ６２に出力するようになされている。ビデオデコーダ４５は、入力されたビデオデータをデコードし、ディスプレイコンバータ４７に出力している。ディスプレイコンバータ４７は、コントロールCPU４４からの制御に対応してビデオデコーダ４５より供給されたビデオデータに基づく画像の大きさを所定の大きさに縮小し、ディスプレイプロセッサ４８に出力している。また、ディスプレイコンバータ４７は、画像の大きさを縮小していないビデオデータ信号をVCR６３に出力している。
【００２３】
OSD制御部４９は、コントロールCPU４４により制御され、ビデオデータに重畳表示するためのOSD（On Screen Display）データを生成し、ディスプレイプロセッサ４８に出力している。ディスプレイプロセッサ４８は、コントロールCPU４４の制御のもと、ディスプレイコンバータ４７より供給されたビデオデータに、OSD制御部４９より供給されたOSDデータを合成し、モニタ６２に出力するようになされている。
【００２４】
番組フラグ用シンボルメモリ５０には、番組フラグに対応して、EPGに重畳表示すべきシンボル（特徴認識情報）のデータが記憶されている。EPGデータメモリ５１は、コントロールCPU４４が、デマルチプレクサ４３より供給を受けたEPGデータを記憶する。プログラムメモリ５２は、コントロールCPU４４が各種の処理を実行する上において必要なプログラムを記憶する。ワークメモリ５３は、コントロールCPU４４が各種の処理を実行する上において必要なデータやプログラムなどを適宜記憶させる。操作ユニット５４は、リモートコントローラ６１から入力された赤外線信号、あるいは受信装置３１の本体に設けられているボタン、スイッチなど（図示せず）からの入力を取り込み、その検出信号をコントロールCPU４４に出力している。
【００２５】
図３は、ディスプレイコンバータ４７の構成例を表している。ディスプレイサイズコンバータ８１は、ビデオデコーダ４５より供給された輝度信号Ｙ、色差信号Ｃｂ（Ｂ−Ｙ），Ｃｒ（Ｒ−Ｙ）で構成される１画面のサイズを、コントロールCPU４４からの指令に対応して、所定の大きさに縮小し、ビデオエンコーダ８２に出力している。ビデオエンコーダ８２は、ディスプレイサイズコンバータ８１より入力されたビデオデータを、例えば、NTSC方式のビデオデータに変換した後、Ｄ／Ａ変換器８３に出力している。Ｄ／Ａ変換器８３は、入力されたビデオデータをＤ／Ａ変換して、ディスプレイプロセッサ４８に出力している。ディスプレイプロセッサ４８は、入力されたビデオデータを処理して、上述したように、OSD制御部４９から供給されるEPGに対応するシンボル（図形）などを合成して、モニタ６２に出力するようになされている。
【００２６】
一方、ビデオデコーダ４５より入力されたビデオデータは、ビデオエンコーダ８４によりNTSC方式のビデオデータに変換され、Ｄ／Ａ変換器８５で、さらにアナログ信号に変換され、VCR６３に供給されている。このVCR６３に供給されるビデオ信号は、ディスプレイプロセッサ４８を介さないので、EPGを含まないビデオ信号となる。
【００２７】
ディスプレイコンバータ４７にはまた、ディスプレイサイズコンバータ８１が、ディスプレイサイズを変更処理するのに、画像データを一次的に記憶するメモリとしてのSDRAM９１が接続されている。
【００２８】
図４は、リモートコントローラ６１の外観の構成例を表している。電源ボタン１１０は、受信装置３１の電源をオン、またはオフさせるとき操作される。数字キー１１１は、チャンネルを選択するときなどに操作される。ＴＶボタン１１２は、放送されている番組の映像をモニタ６２に表示させるとき操作される。EPGボタン１１３は、EPGの映像をモニタ６２に表示させるとき操作される。選択ボタン１１４は、EPGの表示形態を変更するとき操作される。
【００２９】
次に、その動作について説明する。番組生成部１１で生成された番組データは、メインシステムプロセッサ１２を介してエンコーダ１３に供給され、エンコードされる。一方、EPGデータ供給部１８は、例えば、放送が予定されている２週間分の番組のEPGデータを生成し、これを編集部１９に出力する。編集部１９では、EPGデータの編集処理が実行される。各番組が他の番組と異なる特徴がある場合には、その特徴を視聴者に認識させるための特徴認識情報をEPGに重畳表示させるための番組フラグが、EPGデータに付加される。
【００３０】
EPGシステムプロセッサ１７は、編集部１９より供給されたEPGデータを所定のフォーマットに処理した後、マルチプレクサ１４に出力する。
【００３１】
マルチプレクサ１４は、エンコーダ１３より供給された番組データと、EPGシステムプロセッサ１７より供給されたEPGデータとをそれぞれパケット化し、トランスポートストリームとして合成し、衛星に向けて送信する。
【００３２】
受信装置３１においては、リモートコントローラ６１、または操作ユニット５４からの指令に対応して、コントロールCPU４４がチューナ４１を制御し、衛星の所定のトランスポンダの信号を受信させる。復調部４２は、チューナ４１が出力する信号を復調し、復調信号をデマルチプレクサ４３に出力する。デマルチプレクサ４３は、復調部４２から供給されたデータから、オーディオデータ、ビデオデータ、およびEPGデータをそれぞれ抽出し、オーディオデコーダ４６、ビデオデコーダ４５、またはコントロールCPU４４に、それぞれ出力する。
【００３３】
オーディオデコーダ４６は、入力されたオーディオデータのパケットをデコードし、VCR６３とモニタ６２に出力する。ビデオデコーダ４５は、入力されたビデオパケットのビデオデータをデコードし、ディスプレイコンバータ４７に出力する。
【００３４】
ディスプレイコンバータ４７のディスプレイサイズコンバータ８１は、入力されたビデオデータをSDRAM９１に記憶させ、コントロールCPU４４からの指令に対応するディスプレイサイズに変更する処理を実行する。そして、所定のディスプレイサイズに変更されたビデオデータは、ビデオエンコーダ８２において、NTSC方式のビデオデータに変換された後、Ｄ／Ａ変換器８３でＤ／Ａ変換され、ディスプレイプロセッサ４８に入力される。
【００３５】
また、ディスプレイコンバータ４７のビデオエンコーダ８４は、ビデオデコーダ４５から入力されたビデオデータを、ディスプレイサイズを変更することなく、NTSC方式のビデオデータにエンコードし、Ｄ／Ａ変換器８５に出力する。Ｄ／Ａ変換器８５は、入力されたビデオデータをＤ／Ａ変換し、VCR６３に出力する。
【００３６】
コントロールCPU４４は、デマルチプレクサ４３より供給を受けたEPGデータをEPGデータメモリ５１に記憶させる。
【００３７】
そして、例えば、リモートコントローラ６１のEPGボタン１１３がオンされると、コントロールCPU４４は、EPGデータメモリ５１に記憶されているEPGデータを読み出し、OSD制御部４９に出力する。OSD制御部４９は、入力されたEPGデータを画像データに変換し、ディスプレイプロセッサ４８に出力する。ディスプレイプロセッサ４８は、OSD制御部４９から供給された画像データを単独で、あるいはディスプレイコンバータ４７より供給されたビデオ画像データに重畳して、モニタ６２に出力する。
【００３８】
以上のようにして、例えば、図５に示すようなEPGが、モニタ６２に表示される。この例の場合、第１０１チャンネル乃至第１０８チャンネルの８つのチャンネルにおいて、時刻３時から時刻５時までの２時間に放送される番組のタイトルが表示されている。
【００３９】
次に、モニタ６２に、図５に示すEPGが表示されている状態において、そのEPGの表示サイズを変更する場合のコントロールCPU４４の処理を、図６のフローチャートを参照して説明する。最初にステップＳ１において、コントロールCPU４４は、操作ユニット５４から、EPGの表示サイズの変更を指令する制御信号が入力されるまで待機し、入力があったとき、ステップＳ２において、コントロールCPU４４は、OSD制御部４９のVRAM（図示せず）上に、操作ユニット５４から供給された制御信号に対応した、EPGの表示サイズの枠を描画させる。例えば、図７に示すようなEPGの表示サイズに変更する要求が入力されたとすると、８つチャンネルで放送される４時間分の番組タイトルを表示するEPGの表示サイズの枠が描画される。
【００４０】
次に、ステップＳ３において、コントロールCPU４４は、EPGデータメモリ５１から表示すべき番組を読み取る。ステップＳ４において、コントロールCPU４４は、ステップＳ３で読み取った番組のタイトルを対応する時刻に合わせて、OSD制御部４９の内蔵するVRAMに描画させる。
【００４１】
次に、ステップＳ５において、枠の全ての表示部に対するタイトルが描画されたか否かが判定され、また、描画されていない表示部が残っている場合には、ステップＳ２に戻り、それ以降の処理が繰り返し実行される。これにより、図７の第１０１チャンネル乃至第チャンネル１０８において放送される時刻３時から時刻７時までの４時間分の番組タイトルを表示するEPGの描画が、順次実行される。
【００４２】
ステップＳ５において、枠の全ての表示部に対するタイトルの描画が完了したと判定された場合、ステップＳ６に進み、コントロールCPU４４は、OSD制御部４９を制御し、VRAMに描画された画像データを読み出し、ディスプレイプロセッサ４８を介して、モニタ６２に表示させる。これにより、図７に示すようなEPGが、モニタ６２に表示される。
【００４３】
図８は、図４のリモートコントローラ６１の選択ボタン１１４の操作に対応して表示サイズが変更されたEPGを表している。
【００４４】
リモートコントローラ６１のEPGボタン１１３がオンされると、標準の表示サイズの図８（Ａ）のEPGが、モニタ６２の全画面に表示される。そこで、図８（Ａ）のEPGがモニタ６２に表示されている状態において、選択ボタン１１４のボタン（上方向のボタン）１２０Ａがオンされると、図８（Ｂ）のEPGが、図８（Ａ）のEPGに代わり、モニタ６２の全画面に表示される。図８（Ｂ）のEPGには、図８（Ａ）のEPGの半分のチャンネル数である４チャンネル分（第１０１チャンネル乃至第１０４チャンネル）に対応する情報のみが表示されている。このことより図８（Ｂ）のEPGは、図８（Ａ）のEPGより、縦方向の表示が拡大され、より大きな文字で番組タイトル等が示される。なお、この状態において、選択ボタン１１４のボタン（下方向のボタン）１２０Ｂがオンされると、図８（Ａ）のEPGがモニタ６２に表示される。
【００４５】
次に、モニタ６２の全画面に図８（Ａ）のEPGが表示されている状態において、選択ボタン１１４のボタン（下方向のボタン）１２０Ｂがオンされると、図８（Ｃ）のEPGが、図８（Ａ）のEPGに代わり、モニタ６２に表示される。図８（Ｃ）のEPGには、図８（Ａ）のEPGの1.5倍のチャンネル数である１２チャンネル分（第１０１チャンネル乃至第１１２チャンネル）に対応する番組タイトルが表示されている。つまり、ユーザは、図８（Ａ）のEPGより、図８（Ｃ）のEPGから、多くのEPG情報を入手することができる。なお、この状態において、選択ボタン１１４のボタン（上方向のボタン）１２０Ａがオンされると、図８（Ａ）のEPGがモニタ６２に表示される。
【００４６】
さらに、モニタ６２の全画面に図８（Ａ）のEPGが表示されている状態において、選択ボタン１１４のボタン（右方向のボタン）１２１Ａがオンされると、図８（Ｄ）のEPGが、図８（Ａ）のEPGに代わり、モニタ６２に表示される。図８（Ｄ）のEPGには、図８（Ａ）のEPGの２倍の時間である４時間分の番組タイトルが表示されている。この状態において、選択ボタン１１４のボタン（左方向のボタン）１２１Ｂがオンされると、図８（Ａ）のEPGがモニタ６２に表示される。
【００４７】
さらに、モニタ６２の全画面に図８（Ａ）のEPGが表示されている状態において、選択ボタン１１４のボタン（右下方向のボタン）１２２Ａがオンされると、図８（Ｅ）のEPGが、図８（Ａ）のEPGに代わり、モニタ６２に表示される。図８（Ｅ）のEPGには、図８（Ａ）のEPGの1.5倍のチャンネル数である１２チャンネル分の、図８（Ａ）のEPGの２倍の時間である４時間分の番組タイトルが表示され、つまり、図８（Ａ）のEPGの３倍の情報が表示されている。この状態において、選択ボタン１１４のボタン（左上方向のボタン）１２２Ｂがオンされると、図８（Ａ）のEPGがモニタ６２に表示される。
【００４８】
このように、ユーザは、リモートコントローラ６１を操作し、EPGの表示サイズを変更することができる。例えば、モニタに表示されるEPG上の文字が小さく読み取り難い場合、ユーザは、図８（Ｂ）のEPGをモニタに表示させることができる。また、さらに多くのEPG情報をモニタに表示させたい場合、ユーザは、図８（Ｃ）、図８（Ｄ）、または図８（Ｅ）のEPGを選択することができる。
【００４９】
次に、モニタ６２の全画面に図８（Ａ）のEPGが表示されている状態において、ボタン（右上方向のボタン）１２３Ａがオンされると、図８（Ｆ）のEPGが、図８（Ａ）のEPGに代わり、モニタ６２に表示される。図８（Ｆ）のEPGには、モニタ６２の上半分の画面に番組の映像が表示され、下半分の画面にEPGが表示されている。なお、この状態において、選択ボタン１１４のボタン１２３Ｂがオンされると、図８（Ａ）のEPGがモニタ６２に表示される。
【００５０】
このように、ユーザは、必要に応じて、リモートコントローラ６１を操作し、EPGの表示形式を選択することができる。
【００５１】
図９は、他のリモートコントローラ１３０の外観の構成例を表している。図中、図４における場合と対応する部分については、同一の符号を付してある。すなわち、このリモートコントローラ１３０は、方向ボタンからなる選択ボタン１１４に代えて、トグルボタンからなる選択ボタン１３５が設けられている。
【００５２】
図１０は、そのリモートコントローラ１３５の選択ボタン１３５の操作に対応して表示サイズが変更されたEPGを表している。この例の場合、図１０（Ａ）のEPGがモニタ６２に表示されている状態において、選択ボタン１３５が一度オンされると、図１０（Ｂ）のEPGが、図１０（Ａ）のEPGに代わり、モニタ６２の全画面に表示され、さらに、続けて選択ボタン１３５がオンされると、図１０（Ｃ）のEPGが、図１０（Ｂ）のEPGに代わり、モニタ６２の全画面に表示される。このように、選択ボタン１３５がオンされるごとに、図１０（Ａ），図１０（Ｂ），図１０（Ｃ），図１０（Ｄ），図１０（Ｅ），図１０（Ｆ）、再び図１０（Ａ）のEPGが、順にモニタ６２の全画面に表示される。
【００５３】
ユーザは、リモートコントローラ１３０の選択ボタン１３５を操作することによって、所望のEPGを選択することができる。
【００５４】
なお、この例の場合、図１０（Ａ）乃至図１０（Ｆ）のEPGは、図８（Ａ）乃至図８（Ｆ）のEPGに対応するEPGである。
【００５５】
図１１は、さらに他のリモートコントローラ１４０の外観の構成例を表している。図中、図４における場合と対応する部分については、同一の符号を付してある。すなわち、このリモートコントローラ１４０は、選択ボタン１１４に代えて、EPG表示サイズ設定ボタン１４５と選択ボタン１４６が設けられている。
【００５６】
図１２に示すEPGがモニタ６２に表示されている状態において、EPG表示サイズ設定ボタン１４５がオンされると、図１２に示すように、EPG表示サイズ選択メニューが、EPGの右下側に表示される。ユーザは、選択ボタン（上下の方向）１４６を操作し、ポインタを所定の位置に移動させることで、所望のEPGを、EPG表示サイズ選択メニューから選択することができる。なお、EPG表示サイズ選択メニューの中の”標準”のボタンが選択されると、図１０（Ａ）のEPG、”映像＋EPG”のボタンが選択されると、図１０（Ｆ）のEPG、”時間２倍情報”のボタンが選択されると、図１０（Ｄ）のEPG、”ＣＨ1.5倍情報”が選択されると、図１０（Ｃ）のEPG、そして、”３倍情報”のボタンが選択されると、図１０（Ｅ）のEPGが、それぞれモニタ６２に表示される。
【００５７】
図１３は、他のリモートコントローラ１５０の外観の構成例を表している。図中、図４における場合と対応する部分については、同一の符号を付してある。すなわち、このリモートコントローラ１５０は、選択ボタン１１４に代えて、ズームアップボタン１５５とズームダウンボタン１５６が設けられている。
【００５８】
例えば、モニタ６２に表示されているEPGの文字の大きさをさらに大きくしたい場合、ユーザは、ズームアップボタン１５５を操作し、さらに操作し続けることにより、表示されているEPGを無段階に拡大することができる。ただし、表示されるEPGの情報は減少する。また、より多くのEPG情報を表示させたい場合、ユーザは、ズームダウンボタン１５６を操作し、さらに操作し続けることにより、より多くEPG情報を無段階に表示させることができる。
【００５９】
以上においては、EPGを、送信装置から受信装置に対して、衛星を介して信号を送信するようにしたが、この他、地上波で信号を送信したり、CATVなどのケーブルを介して送信する場合にも、本発明は適用することが可能である。あるいは、EPGを、電話回線を介して提供したり、CD-ROM、フロッピー（登録商標）ディスクなどの記録媒体で提供してもよい。
【００６０】
なお、本発明においてシステムとは、複数の装置、手段などで構成される全体の装置を意味するものとする。
【００６１】
上記したような処理を行うコンピュータプログラムをユーザに提供する提供媒体としては、磁気ディスク、CD-ROM、固体メモリなどの記録媒体の他、ネットワーク、衛星などの通信媒体を利用することができる。
【図面の簡単な説明】
【００６２】
【図１】本発明の情報処理装置を適用した送受信システムを構成する送信装置１の構成例を示すブロック図である。
【図２】本発明の情報処理装置を適用し受信装置３１の構成例を示すブロック図である。
【図３】図２のディスプレイコンバータ４７の構成例を示すブロック図である。
【図４】図２のリモートコントローラ６１の外観構成を示す図である。
【図５】図２のモニタ６２における表示例を示す図である。
【図６】EPGの表示サイズの変更処理を説明するフローチャートである。
【図７】図２のモニタ６２における他の表示例を示す図である。
【図８】図２のモニタの他の表示例を示す図である。
【図９】リモートコントローラ１３０の外観構成を示す図である。
【図１０】図２のモニタ６２における他の表示例を示す図である。
【図１１】リモートコントローラ１４０の外観構成を示す図である。
【図１２】図２のモニタの他の表示例を示す図である。
【図１３】リモートコントローラ１５０の外観構成を示す図である。
【図１４】従来のモニタの表示例を示す図である。
【図１５】従来のモニタの他の表示例を示す図である。
【符号の説明】
【００６３】
１  送信装置，  １１  番組生成部，  １２  メインシステムプロセッサ，  １３  エンコーダ，  １４  マルチプレクサ，  １７  EPGシステムプロセッサ，  １８  EPGデータ供給部，  １９  編集部，  ３１  受信装置，  ４１  チューナ，  ４２  復調部，  ４３  デマルチプレクサ，  ４４  コントロールCPU，  ４５  ビデオデコーダ，  ４６  オーディオデコーダ，  ４７  ディスプレイコンバータ，  ４８  ディスプレイプロセッサ，  ４９  OSD制御部，  ５０  番組フラグ用シンボルメモリ，  ５１  EPGデータメモリ，  ５２  プログラムメモリ，  ５３  ワークメモリ，  ５４  操作ユニット，  ６１  リモートコントローラ，  ６２  モニタ，  ６３  VCR，  ８１  ディスプレイサイズコンバータ，  ８２  ビデオエンコーダ，  ８３  Ｄ／Ａ，  ８４  ビデオエンコード，  ８５  Ｄ／Ａ，  １１０  電源，  １１１  数字キー，  １１２  ＴＶボタン，  １１３  EPGボタン，  １１４  選択ボタン，  １２０  ボタン，  １２１  ボタン，  １２２  ボタン，  １２３  ボタン，  １３０  リモートコントローラ，  １３５  選択ボタン，  １４０  リモートコントローラ，  １４５  EPG表示サイズ設定ボタン，  １４６  選択ボタン，  １５０  リモートコントローラ，  １５５  ズームアップボタン，  １５６  ズームダウンボタン
【図１】
2008283709.tif 000003
【図２】
2008283709.tif 000004
【図３】
2008283709.tif 000005
【図４】
2008283709.tif 000006
【図５】
2008283709.tif 000007
【図６】
2008283709.tif 000008
【図７】
2008283709.tif 000009
【図８】
2008283709.tif 000010
【図９】
2008283709.tif 000011
【図１０】
2008283709.tif 000012
【図１１】
2008283709.tif 000013
【図１２】
2008283709.tif 000014
【図１３】
2008283709.tif 000015
【図１４】
2008283709.tif 000016
【図１５】
2008283709.tif 000017